(57)【要約】【課題】異なる板厚の板材に対応でき、かつ電気部品のような板材取付部品ごと交換する必要のないアダプタを提供すること。  【解決手段】板材２に設けられた開口部３に板材取付部品としてのスイッチ１を取り付けるために用いられる板材取付部品用のアダプタ１０であって、このアダプタ１０を、板材２の開口部３に挿入されるとともに、複数の異なる板厚の板材２に対応して板材２に係合する係合部１８と、スイッチ１が嵌め込まれる嵌込開口１２とを備えて構成した。【選択図】図１
2009245706.tif 000002
【特許請求の範囲】
【請求項１】
板材に設けられた開口部に板材取付部品を取り付けるために用いられる板材取付部品用のアダプタであって、
前記板材の開口部に挿入されるとともに、異なる板厚の板材に対応して当該板材に係合する複数の係合部と、
前記板材取付部品が嵌め込まれる嵌込開口とを備えている
ことを特徴とする板材取付部品用のアダプタ。
【請求項２】
請求項１に記載の板材取付部品用のアダプタにおいて、
前記嵌込開口周りには、前記板材の開口部周りに当接するフランジ部が設けられ、
このフランジ部には、前記板材取付部品に設けられたフランジ部が当接する
ことを特徴とする板材取付部品用のアダプタ。
【請求項３】
請求項１または請求項２に記載の板材取付部品用のアダプタにおいて、
前記板材に嵌め込まれる側面部を有するとともに
前記複数の係合部は、前記側面部に前記開口部への挿入方向に沿って設けられ、かつ前記開口部への挿入側の面が当該挿入方向の先端側に向かうに従って前記側面部側に位置するように傾斜したテーパ面となっている
ことを特徴とする板材取付部品用のアダプタ。
【請求項４】
請求項１または請求項２に記載の板材取付部品用のアダプタにおいて、
前記複数の係合部は、前記開口部への挿入方向に対して斜めに延設された取付片に当該挿入方向沿って設けられている
ことを特徴とする板材取付部品用のアダプタ。
【発明の詳細な説明】
【技術分野】
【０００１】
本発明は、板材取付部品用のアダプタに係り、例えばスイッチ等の電気部品を種々の板厚を有した板材等に取り付けるためのアダプタに関する。
【背景技術】
【０００２】
従来、スイッチ等の電気部品を基板に取り付けるに際して、種々の異なる板厚の基板に対応できるよう、特許文献１〜３に記載の提案がなされている。
特許文献１〜３では、基板に設けた開口部に嵌め込まれるスイッチが開示されており、このようなスイッチの側面に、弾性変形可能な取付片を設けることが提案されている。取付片の表面には、複数の係合溝が形成されており、板厚に応じたいずれかの係合溝が基板の開口部に係合することで、異なる板厚の基板であってもスイッチを確実に取り付けることが可能である。
【０００３】
【特許文献１】特開平０１−２５３１３０号公報
【特許文献２】特開平０７−１７６２４０号公報
【特許文献３】特開平１１−０４０００２号公報
【発明の開示】
【発明が解決しようとする課題】
【０００４】
しかしながら、電気部品自身に特許文献１〜３に記載されたような取付片を設ける場合では、取付片が損傷した場合など、電気部品ごと交換する必要があり、交換費用が嵩んで不経済である。
また、そのような取付片を備えておらず、設定された板厚の基材に取り付けるような部品においては、設定以外の板厚の基材に取り付ける際に、板厚毎にスペーサなどの別部材用いる必要があり、費用アップになっていた。
【０００５】
本発明の目的は、異なる板厚の板材に対応でき、かつ電気部品のような板材取付部品ごと交換する必要のないアダプタを提供することにある。
【課題を解決するための手段】
【０００６】
本発明の板材取付部品用のアダプタは、板材に設けられた開口部に板材取付部品を取り付けるために用いられる板材取付部品用のアダプタであって、前記板材の開口部に挿入されるとともに、異なる板厚の板材に対応して当該板材に係合する複数の係合部と、前記板材取付部品が嵌め込まれる嵌込開口とを備えていることを特徴とする。
ここで、板材としては、任意の成型方法で製作される合成樹脂製のもの、あるいは板金製のもの、ガラス・エポキシ複合素材（ガラエポ）製のもの等を適用できる。
【０００７】
本発明の板材取付部品用のアダプタにおいて、前記嵌込開口周りには、前記板材の開口部周りに当接するフランジ部が設けられ、このフランジ部には、前記板材取付部品に設けられたフランジ部が当接することが望ましい。
【０００８】
本発明の板材取付部品用のアダプタでは、前記板材に嵌め込まれる側面部を有するとともに、前記複数の係合片部は、前記側面部に前記開口部への挿入方向に沿って設けられ、かつ前記開口部への挿入側の面が当該挿入方向の先端側に向かうに従って前記側面部側に位置するようになるテーパ面を有していることが望ましい。
【０００９】
本発明の板材取付部品用のアダプタでは、前記複数の係合部は、前記開口部への挿入方向に対して斜めに延設された取付片に当該挿入走行に沿って設けられていてもよい。
【発明の効果】
【００１０】
以上において、発明のアダプタによれば、異なる板厚の板材に対しては係合部によって対応することとし、加えて、アダプタ自身を板材取付部品に対して別体とし、板材取付部品をアダプタの嵌合開口に嵌め込むように構成したので、アダプタの係合部が損傷した場合には、アダプタを新たなものと交換すればよく、板材取付部品を交換する必要がなくて経済的である。
【００１１】
また、アダプタの嵌込開口周りにフランジを設けことにより、板材の開口部に予めアダプタを嵌め込んでおき、この後にアダプタに対して板材取付部材を嵌め込むことができる。従って、開口部へ取り付けられる板材取付部材として、スイッチのような電気部品が取り付けられるのか、あるいは盲蓋のようなダミー部品が取り付けられるのかが判断がつかない場合でも、板材側へのアダプタの嵌込を先行して実施できる。
【発明を実施するための最良の形態】
【００１２】
〔第１実施形態〕
以下、本発明の第１実施形態を図面に基づいて説明する。
図１は、本実施形態に係るアダプタ１０およびこれに嵌め込まれるスイッチ（板材取付部品）１を示す分解斜視図である。図２は、アダプタ１０を裏側から見た斜視図である。図３は、板材２にアダプタ１０およびスイッチ１が取り付けられた状態を示す断面図である。図４は、図３の状態における要部を示す断面図。図５は、図４の状態における一部断面された要部を示す平面図である。
【００１３】
アダプタ１０は、板材２に設けられた開口部３に対してスイッチ１を取り付けるために用いられるものであり、スイッチ１とは別体で製作され、かつ異なる板厚の板材２に対応できる構造を有している。具体的にアダプタ１０は、ポリアセタール、６ナイロン、ポリプロピレン（ＰＰ）等の合成樹脂製で、板材２の開口部３に嵌め込まれる環状の側面部１１を有するとともに、この側面部１１で囲まれた空間がスイッチ１を嵌め込むための嵌込開口１２となっている。
【００１４】
側面部１１および嵌込開口１２の形状は、互いに平行な一対の長辺１３、および一対の短辺１４を有した異形の八角形とされ、長辺１３と短辺１４との間が斜辺１５となっている。ただし、側面部１１および嵌込開口１２の形状は、嵌込開口１２に嵌め込まれるスイッチ１の外周形状を勘案して任意に決められてよい。
【００１５】
嵌込開口１２において、表面側の辺縁には、周方向に連続した外周長丸状のフランジ部１６が形成されている。側面部１１およびフランジ部１６の一部には、スイッチ１の誤挿入防止用のキー４に対応した凸部１７が設けられている。
【００１６】
そして、本実施形態のアダプタ１０では、側面部１１の斜辺１５に対応した外面には、板材２の面内方向の外方側に向けて突出した半月片状の係合部１８が設けられている。係合部１８は、スイッチ１の挿入方向に沿って所定の間隔を空けて複数段（本実施形態では４段）設けられており、弾性を有する厚みに形成されている。より具体的には、図４に示すように、係合部１８の開口部３への挿入側の面は、挿入方向の先端側（図中下側）に向かうに従って側面部１１側に位置するように傾斜したテーパ面１８Ａとなっており、反対側の面が板材２と略平行な面となっている。このことにより、係合部１８が開口部３へ挿入され易く、かつ抜け難くなっている。
【００１７】
このような係合部１８は、図５に示すように、板材２の開口部３よりも大きく外方に延設されており、アダプタ１０が開口部３に嵌め込まれた状態では、板材２の板厚に応じて少なくとも１枚が変形した状態となるか、または板材２の厚みが薄い場合には、全てが開口部３を貫通して、板材２の裏面側で元の形状に復帰した状態となる。
【００１８】
変形した状態の係合部１８は、その弾性力により開口部３の内面と係合し、開口部３を貫通した位置にある係合部１８は、板材２の裏面と係合することになる。従って、このような係合部１８の係合により、アダプタ１０は板材２と係合し、意図的に抜こうとしない限りは、開口部３から抜けることがない。このことにより、アダプタ１０を異なる板厚の板材２に確実に係合させることができ、ひいてはスイッチ１を取り付けることができる。
【００１９】
そして、アダプタ１０が板材２の開口部３に嵌め込まれた状態では、フランジ部１６が開口部３の表面側の辺縁に当接し、挿入方向の位置が決められる。また、スイッチ１がアダプタ１０の嵌込開口１２に嵌め込まれた状態では、スイッチ１に設けられたフランジ部５がアダプタ１０のフランジ部１６上に当接され、挿入方向の位置が決められる。さらに、スイッチ１において、嵌込開口１２に嵌め込まれる本体部分の側面には係止部６が突設されており、係止部６がアダプタ１０の側面部１１に係止することで、スイッチ１の抜けが防止されている。
【００２０】
ここで、図５に示すように、開口部３にアダプタ１０が嵌め込まれた状態では、側面部１１の短辺１４に対応した外面が開口部３の内面と接触し、アダプタ１０が開口部３内で大きくがたつくのを抑制している。一方、アダプタ１０の嵌込開口１２にスイッチ１が嵌め込まれた状態では、短辺１４に対応した内面にスイッチ１の外面が接触し、スイッチ１の嵌込開口１２内でのがたつきが抑制される。
【００２１】
また、側面部１１において、係合部１８が設けられる部分の外面と板材２の開口部３内面との間、および係合部１８が設けられる部分の内面とスイッチ１の外面との間にはそれぞれ、所定の隙間寸法を有した隙間Ｃ１，Ｃ２が設定されている。係合部１８が係合時に受ける外力より、係合部１８のみならずこの係合部１８が設けられている側面部分も変形する可能性があり、この変形量を隙間Ｃ１，Ｃ２によって吸収し、スイッチ１を嵌込開口１２にスムーズに嵌め込むことが可能である。なお、側面部１１は、所定幅を有して環状に設けられているため、剛性が高く、側面部１１全体が変形することはない。
【００２２】
以上に説明した実施形態では、アダプタ１０を先ず板材２の開口部３に嵌め込んでおき、この後に、スイッチ１をアダプタ１０の嵌込開口１２に嵌め込む。勿論、場合によっては、スイッチ１をアダプタ１０に嵌め込んでおき、次いで、アダプタ１０をスイッチ１ごと開口部３に嵌め込んでもよい。
そして、アダプタ１０の嵌込時に、何らかの理由で係合部１８等が損傷した場合には、アダプタ１０を新たなものと交換すればよいから、スイッチ１を交換する必要がなく、経済的である。
【００２３】
〔第２実施形態〕
図６には、本発明の第２実施形態に係るアダプタ１０が示されている。本実施形態のアダプタ１０は、第１実施形態と比して嵌込開口１２およびフランジ部１６の形状は同じであるが、第１実施形態のような環状の側面部１１や半月片状の係合部１８を備えておらず、側面部１１の代わりとして長辺方向に対向した四角形の一対の垂下面部２１を有し、係合部１８の代わりに帯状の取付片２２に設けられた複数の係合部２３を有している。垂下面部２１および取付片２２の幅寸法は、短辺１４の幅寸法と略同じである。垂下面部２１の長さ寸法は、第１実施形態と同様に、スイッチの係止部に係止される長さ寸法であり、取付片２２の長さ寸法は、異なる板厚の板材に対応を勘案して設定される。
【００２４】
これらのうちの取付片２２は、弾性を有し、板材に設けられた開口部への挿入方向の先端に向かうに従って垂下面部２１に対して離間するように、当該垂下面部２１に対して所定の角度を持って斜めに延設されている。取付片２２の表面には、各係合部２３が開口部への挿入方向に沿って階段状に形成されている。アダプタ１０を開口部に嵌め込む際に、取付片２２を垂下面部２１側に密着させながら嵌め込むと、嵌め込まれた状態では、互いが密着した状態に維持され、取付片２２の係合部２３の１つが板材の裏面と係合し、抜けが防止される。つまり、垂下面部２１は取付片２２のバックアップ面として機能する。その他の構造および機能については第１実施形態と同じである。
【００２５】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００２６】
前記実施形態では、アダプタ１０の嵌込開口１２周りにフランジ部１６が設けられていたが、このようなフランジ部１６がない場合でも本発明に含まれる。ただし、フランジ部１６がない場合には、アダプタを予め板材２の開口部３に嵌め込もうとしても、挿入方向に当接させることができないため、嵌め込むことができない。従って、スイッチ１を予めアダプタに嵌め込んでおき、この状態でアダプタをスイッチ１ごと開口部３に嵌め込むことになる。
【００２７】
前記実施形態では、本発明に係る板材取付部品としてスイッチ１について説明したが、これに限定されるものではなく、他の電気部品や、各種メータ類等であってもよいし、盲蓋のようなダミー部品であってもよい。
【産業上の利用可能性】
【００２８】
本発明は、スイッチ等の電気部品を板材に取り付けるために好適に利用できる。
【図面の簡単な説明】
【００２９】
【図１】本発明の第１実施形態に係るアダプタおよびこれに嵌め込まれる板材取付部品を示す分解斜視図。
【図２】アダプタを裏側から見た斜視図。
【図３】板材にアダプタおよび板材取付部品が取り付けられた状態を示す断面図。
【図４】図３の状態における要部を示す断面図。
【図５】図３の状態における一部断面された要部を示す平面図。
【図６】本発明の第２実施形態に係るアダプタを示す斜視図。
【符号の説明】
【００３０】
１…板材取付部品であるスイッチ、２…板材、３…開口部、５，１６…フランジ部、１０…アダプタ、１２…嵌込開口、１８、２３…係合部、１８Ａ…テーパ面。
【図１】
2009245706.tif 000003
【図２】
2009245706.tif 000004
【図３】
2009245706.tif 000005
【図４】
2009245706.tif 000006
【図５】
2009245706.tif 000007
【図６】
2009245706.tif 000008